(57)【特許請求の範囲】
【請求項１】
所定エリアに配置された複数の物体に１対１で対応付けられて固定され、所定の情報を表すコード、文字及び画像を表示すると共に通信機能を有する通信表示デバイスと、前記所定エリア内の通信表示デバイスと双方向に通信を行い情報の送受信を行う通信サーバとを有する通信表示デバイスによる授業運営管理システムにおいて、
前記通信表示デバイスに表示された前記コードが、通信及び読取機能を有する携帯端末装置で読み込まれた際に得られる乱数と、当該通信表示デバイスの固有のデバイスＩＤ及び当該携帯端末装置の固体識別番号を受信した場合、この固体識別番号の携帯端末装置の所有者と、前記受信されたデバイスＩＤの通信表示デバイスとを１対１に対応付ける出席管理サーバ
を備え、
前記通信表示デバイスに表示された前記コードに、更に、出席受付情報が表されている場合、当該コードの読み取り情報を受信した前記出席管理サーバは、当該通信表示デバイスに１対１に対応付けられた所有者の出席申請を了承し、当該通信表示デバイスに当該所有者の氏名を表示する処理を行うことを特徴とする通信表示デバイスによる授業運営管理システム。
【請求項２】
前記携帯端末装置の固体識別番号と、当該携帯端末装置の所有者の固有情報とが１対１に対応付けられて登録されたデータベースを更に備え、
前記出席管理サーバは、前記コード読み込み時の乱数、前記デバイスＩＤ及び前記固体識別番号の受信時に、前記データベースを参照し、前記受信された固体識別番号に対応付けられる所有者の固有情報と、前記受信されたデバイスＩＤ及び乱数とを相互に対応付け、これを出席管理情報として前記データベースに登録することを特徴とする請求項１に記載の通信表示デバイスによる授業運営管理システム。
【請求項３】
前記出席管理サーバは、各種指示を行うマスタ端末装置からの出席確認操作時に、前記データベースに登録された前記出席管理情報をもとに、前記所定エリア内に複数の物体が配列され、各物体に出席申請済みの所有者が表された座席表を作成し、この座席表の情報を前記マスタ端末装置へ送信する処理を行うことを特徴とする請求項２に記載の通信表示デバイスによる授業運営管理システム。
【請求項４】
前記出席管理サーバは、前記マスタ端末装置に前記座席表の情報と共に該当所有者の情報を送信し、当該マスタ端末装置に表示された座席表の所有者が選択された際に、当該所有者の情報が表示されるようにしたことを特徴とする請求項３に記載の通信表示デバイスによる授業運営管理システム。
【請求項５】
前記出席管理サーバは、前記データベースに登録された出席管理情報をもとに、グループ分け指示に応じたグループ分けを行い、前記所定エリア内の各通信表示デバイスに、そのグループ分け情報に応じたグループ番号及び移動先指示情報を表示する処理を行うことを特徴とする請求項２乃至４のいずれか１項に記載の通信表示デバイスによる授業運営管理システム。
【請求項６】
所定エリアに配置された複数の物体に１対１で対応付けられて固定され、所定の情報を表すコード、文字及び画像を表示すると共に通信機能を有する通信表示デバイスと、前記所定エリア内の通信表示デバイスと双方向に通信を行い情報の送受信を行う通信サーバとを有する通信表示デバイスによる授業運営管理システムにおいて、
前記通信表示デバイスに表示された前記コードが、通信及び読取機能を有する携帯端末装置で読み込まれた際に得られる乱数と、当該通信表示デバイスの固有のデバイスＩＤ及び当該携帯端末装置の固体識別番号を受信した場合、この固体識別番号の携帯端末装置の所有者と、前記受信されたデバイスＩＤの通信表示デバイスとを１対１に対応付ける出席管理サーバと、
前記携帯端末装置の固体識別番号と、当該携帯端末装置の所有者の固有情報とが１対１に対応付けられて登録されたデータベースと
を備え、
前記出席管理サーバは、前記コード読み込み時の乱数、前記デバイスＩＤ及び前記固体識別番号の受信時に、前記データベースを参照し、前記受信された固体識別番号に対応付けられる所有者の固有情報と、前記受信されたデバイスＩＤ及び乱数とを相互に対応付け、これを出席管理情報として前記データベースに登録すると共に、前記データベースに登録された出席管理情報をもとに、グループ分け指示に応じたグループ分けを行い、前記所定エリア内の各通信表示デバイスに、そのグループ分け情報に応じたグループ番号及び移動先指示情報を表示する処理を行うことを特徴とする通信表示デバイスによる授業運営管理システム。
【請求項７】
前記通信表示デバイスに表示された前記コードに、更に、前記所定エリアでの座標位置が表されている場合、当該コードの読み取り情報を受信した前記出席管理サーバは、前記対応付けられた所有者の固有情報及びデバイスＩＤに、更に前記座標位置を対応付けることを特徴とする請求項１〜６のいずれか１項に記載の通信表示デバイスによる授業運営管理システム。
【請求項８】
前記データベースに、前記所有者のテスト結果やレポート提出、未提出及びレポート内容を含む成績管理情報を登録し、
前記出席管理サーバは、前記マスタ端末装置に前記座席表が表示され、当該マスタ端末装置で成績表示操作後に前記座席表の所有者が選択された際に、この選択された所有者の前記成績管理情報を、前記データベースから取得して表示する処理を行うことを特徴とする請求項３又は４に記載の通信表示デバイスによる授業運営管理システム。
【請求項９】
前記所有者の履修状況が登録された履修登録サーバを更に備え、
前記データベースに、前記所有者の各科目の試験問題を登録し、
前記出席管理サーバは、前記履修登録サーバへのアクセスにより所有者が履修及び前記出席申請を済ませている場合に、試験問題送信指示に応じて該当所有者への通信表示デバイスに試験問題を表示する処理を行うことを特徴とする請求項２〜５のいずれか１項に記載の通信表示デバイスによる授業運営管理システム。
【請求項１０】
前記出席管理サーバは、前記通信表示デバイスに試験問題を表示する際に、隣同士の所有者間で相関関係の無い試験問題の表示を行う処理を実行することを特徴とする請求項９に記載の通信表示デバイスによる授業運営管理システム。
【請求項１１】
前記出席管理サーバは、前記通信表示デバイスに試験問題を表示した後、所定時間経過後又は所定時刻に表示内容が自動的に消去されるように処理を行うことを特徴とする請求項９又は１０に記載の通信表示デバイスによる授業運営管理システム。
【請求項１２】
前記物体は、机又は移動体であることを特徴とする請求項１〜１１のいずれか１項に記載の通信表示デバイスによる授業運営管理システム。
【請求項１３】
前記通信表示デバイスは、ドットマトリクス方式の不揮発性表示媒体である電子ペーパを有することを特徴とする請求項１〜１２のいずれか１項に記載の通信表示デバイスによる授業運営管理システム。
【発明の詳細な説明】
【技術分野】
【０００１】
本発明は、電子ペーパを表示部に用いた通信可能な電子棚札等の通信表示デバイスを大学等の教育現場に用い、サーバ及び公衆回線を介して携帯電話機やスマートフォン等の携帯端末装置と組み合わせることにより、授業運営や試験実施の効率化を図ることが可能な通信表示デバイスによる授業運営管理システムに関する。
【背景技術】
【０００２】
従来、大多数の学校、例えば大学では、授業への出席に当って出席申請を行っている。この場合、所定の申請用紙に学籍番号等を記載して提出したり、サーバからの要求に答えて学籍番号を入力したりして出席申請を行っている。また、複数人の学生で１グループを作り、グループによるディスカッション等を通じて授業を行う場合、途中でのグループ変更には時間がかかるので、一般的にグループメンバを固定したまま授業が進められている。更に、試験実施に当たりカンニング等の不正行為を防止するため、隣席を空席にしながら試験を実施している。
【０００３】
授業運営に係わる従来のシステムとしては、例えば特許文献１，２等がある。特許文献１は、学校の授業に関する事務処理を軽減し、且つ教材が必要な時に必要な分だけ利用することが可能な学校授業支援システムである。特許文献２は、生徒が複数受講しても集中力を低下させることなく、また教育サービスへの出資者の負担の小さいフランチャイズネットワーク授業システムである。
【先行技術文献】
【特許文献】
【０００４】
【特許文献１】特開２００３−５８０２９号公報
【特許文献２】特開２００５−６３１０２号公報
【発明の概要】
【発明が解決しようとする課題】
【０００５】
しかし、上述したように、授業への出席申請を申請用紙で行う場合、その記載や提出又は回収、教員による確認などに時間が掛かり効率が悪く、また、サーバから学籍番号を入力する場合、入力ミスや恣意的な代返行為により、実際に出席していない学生が出席申請されてしまうという問題がある。
【０００６】
また、複数人の学生で１グループを形成して授業を行う場合、本来であれば、授業の進行に合わせ、学生の発言をフィードバックしながら、リアルタイムで速やかにグループ変更することができれば、ダイナミックな授業展開が可能となる。しかし、生徒数が１００人や２００人など多い場合に、例えばプロジェクタにグループ分けのリストを表示してグループ分けを行った場合、自分の所属グループの確認に時間が掛かるばかりか、リストを誤認して違うグループに行ってしまう等の不都合が生じ、この結果、グループ分けに時間が掛かるという問題がある。
【０００７】
また、隣席を空席にしながら試験を実施する場合、通常の授業よりも収容人員が大幅に少なくなるので多くの教室が必要となり、更に、全学規模で定期試験が行われるため、教室の確保が困難となる。つまり、効率よく試験を実施することができないという問題がある。
【０００８】
更には、不正防止のため隣席を空席とするが、例えば２００人収容の教室に隣席を空席としながら１００人収容して試験を実施する場合、大人数であるため、監視が行き届かず、不正行為を完全に防止することが出来ないという問題がある。
【０００９】
現在、これらの問題を解決可能なシステムは見当たらず、前述した特許文献１，２の授業運営に係わるシステムにおいても、当該問題を解決するには至らない。
【００１０】
本発明は、このような事情に鑑みてなされたものであり、授業の出席申請の効率化並びに申請ミスや代返の防止、グループ分けの迅速化、試験実施の効率化並びに不正行為の防止を実現することができる通信表示デバイスによる授業運営管理システムを提供することを目的とする。
【課題を解決するための手段】
【００１１】
上記目的を達成するためになされた請求項１に記載の発明は、所定エリアに配置された複数の物体に１対１で対応付けられて固定され、所定の情報を表すコード、文字及び画像を表示すると共に通信機能を有する通信表示デバイスと、前記所定エリア内の通信表示デバイスと双方向に通信を行い情報の送受信を行う通信サーバとを有する通信表示デバイスによる授業運営管理システムにおいて、前記通信表示デバイスに表示された前記コードが、通信及び読取機能を有する携帯端末装置で読み込まれた際に得られる乱数と、当該通信表示デバイスの固有のデバイスＩＤ及び当該携帯端末装置の固体識別番号を受信した場合、この固体識別番号の携帯端末装置の所有者と、前記受信されたデバイスＩＤの通信表示デバイスとを１対１に対応付ける出席管理サーバを備え、前記通信表示デバイスに表示された前記コードに、更に、出席受付情報が表されている場合、当該コードの読み取り情報を受信した前記出席管理サーバは、当該通信表示デバイスに１対１に対応付けられた所有者の出席申請を了承し、当該通信表示デバイスに当該所有者の氏名を表示する処理を行うことを特徴とする。
【００１２】
この構成によれば、所有者は、通信表示デバイスに表示されたコードを、携帯端末装置で読み込むだけで、自分と通信表示デバイスとを１対１に対応付けることができる。つまり、通信表示デバイスが固定された物体と自分とを１対１で対応付けることができる。この対応付け情報には、固有の数値である乱数も固有ＩＤとして対応付けられるので、これ以降その乱数以外は拒否対象となるので、不正を防止することも出来る。
また、所有者は、自分が着座する物体の通信表示デバイスに表示されたコードを、携帯端末装置で読み込むだけで、出席申請を済ませることができる。出席申請完了時には、自分の着座した物体の通信表示デバイスに自分の氏名が表示されるので、確実に出席申請完了を確認することができる。
【００１３】
請求項２に記載の発明は、前記携帯端末装置の固体識別番号と、当該携帯端末装置の所有者の固有情報とが１対１に対応付けられて登録されたデータベースを更に備え、前記出席管理サーバは、前記コード読み込み時の乱数、前記デバイスＩＤ及び前記固体識別番号の受信時に、前記データベースを参照し、前記受信された固体識別番号に対応付けられる所有者の固有情報と、前記受信されたデバイスＩＤ及び乱数とを相互に対応付け、これを出席管理情報ＡＭ１として前記データベースに登録することを特徴とする。
【００１４】
この構成によれば、所有者は、通信表示デバイスに表示されたコードを、携帯端末装置で読み込むだけで、自分と通信表示デバイスとを１対１に対応付けてデータベースに登録することができる。
【００１５】
請求項３に記載の発明は、前記出席管理サーバは、各種指示を行うマスタ端末装置からの出席確認操作時に、前記データベースに登録された前記出席管理情報をもとに、前記所定エリア内に複数の物体が配列され、各物体に出席申請済みの所有者が表された座席表を作成し、この座席表の情報を前記マスタ端末装置へ送信する処理を行うことを特徴とする。
【００１６】
この構成によれば、マスタ端末装置から出席確認操作を行うことにより、座席表が表示され、出席状況の確認を容易に行うことができる。
【００１７】
請求項４に記載の発明は、前記出席管理サーバは、前記マスタ端末装置に前記座席表の情報と共に該当所有者の情報を送信し、当該マスタ端末装置に表示された座席表の所有者が選択された際に、当該所有者の情報が表示されるようにしたことを特徴とする。
【００１８】
この構成によれば、例えば教員が所望の所有者の情報を知りたい場合、座席表の該当所有者を選択することで、その所有者の出席管理情報が表示されるので、該当所有者の情報を容易に確認することができる。
【００１９】
請求項５に記載の発明は、前記出席管理サーバは、前記データベースに登録された出席管理情報をもとに、グループ分け指示に応じたグループ分けを行い、前記所定エリア内の各通信表示デバイスに、そのグループ分け情報に応じたグループ番号及び移動先指示情報を表示する処理を行うことを特徴とする。
【００２０】
この構成によれば、授業中でもグループ分け指示を行うだけで、グループ分けを容易に行うことができる。
【００２１】
請求項６に記載の発明は、所定エリアに配置された複数の物体に１対１で対応付けられて固定され、所定の情報を表すコード、文字及び画像を表示すると共に通信機能を有する通信表示デバイスと、前記所定エリア内の通信表示デバイスと双方向に通信を行い情報の送受信を行う通信サーバとを有する通信表示デバイスによる授業運営管理システムにおいて、前記通信表示デバイスに表示された前記コードが、通信及び読取機能を有する携帯端末装置で読み込まれた際に得られる乱数と、当該通信表示デバイスの固有のデバイスＩＤ及び当該携帯端末装置の固体識別番号を受信した場合、この固体識別番号の携帯端末装置の所有者と、前記受信されたデバイスＩＤの通信表示デバイスとを１対１に対応付ける出席管理サーバと、前記携帯端末装置の固体識別番号と、当該携帯端末装置の所有者の固有情報とが１対１に対応付けられて登録されたデータベースとを備え、前記出席管理サーバは、前記コード読み込み時の乱数、前記デバイスＩＤ及び前記固体識別番号の受信時に、前記データベースを参照し、前記受信された固体識別番号に対応付けられる所有者の固有情報と、前記受信されたデバイスＩＤ及び乱数とを相互に対応付け、これを出席管理情報として前記データベースに登録すると共に、前記データベースに登録された出席管理情報をもとに、グループ分け指示に応じたグループ分けを行い、前記所定エリア内の各通信表示デバイスに、そのグループ分け情報に応じたグループ番号及び移動先指示情報を表示する処理を行うことを特徴とする。
【００２２】
この構成によれば、所有者は、通信表示デバイスに表示されたコードを、携帯端末装置で読み込むだけで、自分と通信表示デバイスとを１対１に対応付けることができる。つまり、通信表示デバイスが固定された物体と自分とを１対１で対応付けることができる。この対応付け情報には、固有の数値である乱数も固有ＩＤとして対応付けられるので、これ以降その乱数以外は拒否対象となるので、不正を防止することも出来る。
また、所有者は、通信表示デバイスに表示されたコードを、携帯端末装置で読み込むだけで、自分と通信表示デバイスとを１対１に対応付けてデータベースに登録することができる。
さらに、授業中でもグループ分け指示を行うだけで、グループ分けを容易に行うことができる。
【００２３】
請求項７に記載の発明は、前記通信表示デバイスに表示された前記コードに、更に、前記所定エリアでの座標位置が表されている場合、当該コードの読み取り情報を受信した前記出席管理サーバは、前記対応付けられた所有者の固有情報及びデバイスＩＤに、更に前記座標位置を対応付けることを特徴とする。
【００２４】
この構成によれば、所有者と通信表示デバイスとの対応付けに、更に通信表示デバイスの座標位置を対応付けてデータベースに登録することができる。つまり、自分の着座位置を対応付けて登録することができる。
【００２５】
請求項８に記載の発明は、前記データベースに、前記所有者のテスト結果やレポート提出、未提出及びレポート内容を含む成績管理情報を登録し、前記出席管理サーバは、前記マスタ端末装置に前記座席表が表示され、当該マスタ端末装置で成績表示操作後に前記座席表の所有者が選択された際に、この選択された所有者の前記成績管理情報を、前記データベースから取得して表示する処理を行うことを特徴とする。
【００２６】
この構成によれば、教員が所有者の成績を見たい場合、座席表の形式で表示されているマスタ端末装置において、成績表示指示を行った後、所望の所有者を選択すれば、所有者の成績管理情報を簡単に表示することが出来る。
【００２７】
請求項９に記載の発明は、前記所有者の履修状況が登録された履修登録サーバを更に備え、前記データベースに、前記所有者の各科目の試験問題を登録し、前記出席管理サーバは、前記履修登録サーバへのアクセスにより所有者が履修及び前記出席申請を済ませている場合に、試験問題送信指示に応じて該当所有者への通信表示デバイスに試験問題を表示する処理を行うことを特徴とする。
【００２８】
この構成によれば、所有者に該当の試験問題を容易に送信して表示させることができる。
【００２９】
請求項１０に記載の発明は、前記出席管理サーバは、前記通信表示デバイスに試験問題を表示する際に、隣同士の所有者間で相関関係の無い試験問題の表示を行う処理を実行することを特徴とする。
【００３０】
この構成によれば、近接した隣同士であっても、問題や出題順が異なるので、不正行為を完全に防止することができる。また、従来のように、不正行為防止のために、隣席を空席にしながら試験を行わなくても良いので、その分、教室に所定の収容人員を収容することができる。これによって、試験時に教室の確保を容易に行うことができる。従って、効率よく試験を実施することができる。
【００３１】
請求項１１に記載の発明は、前記出席管理サーバは、前記通信表示デバイスに試験問題を表示した後、所定時間経過後又は所定時刻に表示内容が自動的に消去されるように処理を行うことを特徴とする。
【００３２】
この構成によれば、試験開始時間に問題を表示し、試験終了後に問題を消去することができるので、試験時間を越えて問題が表示されるといった不都合が無くなり、これにより試験を的確に実施することができる。
【００３３】
請求項１２に記載の発明は、前記物体は、机又は移動体であることを特徴とする。
【００３４】
この構成によれば、人員の管理が容易となる。
【００３５】
請求項１３に記載の発明は、前記通信表示デバイスは、ドットマトリクス方式の不揮発性表示媒体である電子ペーパを有することを特徴とする。
【００３６】
この構成によれば、省電力で表示を行うことができる。
【発明の効果】
【００３７】
本発明によれば、授業の出席申請の効率化並びに申請ミスや代返の防止、グループ分けの迅速化、試験実施の効率化並びに不正行為の防止を実現することができる。
【図面の簡単な説明】
【００３８】
【図１】本発明の実施形態に係る通信表示デバイスによる授業運営管理システムの構成を示すブロック図である。
【図２】電子棚札の構成及び表示態様を示す図である。
【図３】電子棚札の他の表示態様を示す図である。
【図４】出席管理サーバの構成を示すブロック図である。
【図５】ＥＳＬサーバの構成を示すブロック図である。
【図６】出席管理ＤＢに登録された出席管理情報の登録内容を示す図である。
【図７】座席表の構成を示す図である。
【図８】成績管理ＤＢに登録された成績管理情報の登録内容を示す図である。
【図９】本実施形態の授業運営管理システムによる出席管理処理の動作を説明するためのフローチャートである。
【図１０】本実施形態の授業運営管理システムによるグループ分け処理の動作を説明するためのフローチャートである。
【図１１】本実施形態の授業運営管理システムによる授業運営処理の動作を説明するためのフローチャートである。
【図１２】本実施形態の授業運営管理システムによる試験実施処理の動作を説明するためのフローチャートである。
【発明を実施するための形態】
【００３９】
以下、本発明の実施形態を、図面を参照して説明する。
【００４０】
図１は、本発明の実施形態に係る通信表示デバイスによる授業運営管理システムの構成を示すブロック図である。図１に示す授業運営管理システム１０は、各種学校の授業運営、例えば大学の授業運営を管理するものであり、通信表示デバイスとしての複数の電子棚札１１ａ，１１ｂ，…，１１ｎと、複数の通信装置１２ａ〜１２ｍと、ベースステーション１３と、ＥＳＬ(Electronic Shelf Label：電子棚札)サーバ１４と、出席管理サーバ１５と、履修登録サーバ１６と、マスタ端末装置１７とを備えて構成されている。
【００４１】
出席管理サーバ１５、履修登録サーバ１６及びＥＳＬサーバ１４は、ＬＡＮ(Local Area Network)１８で接続され、ＥＳＬサーバ１４にはベースステーション１３を介して各通信装置１２ａ〜１２ｃが接続されている。各通信装置１２ａ〜１２ｍは、大学の教室ＲＭの天井に配設され、各電子棚札１１ａ〜１１ｎと赤外線（又は無線）により双方向に通信を行うものである。各通信装置１２ａ〜１２ｍは、全通信装置１２ａ〜１２ｍにより全ての電子棚札１１ａ〜１１ｎと通信が可能となる位置に配置されている。マスタ端末装置１７は、スマートフォン又はタブレット型端末機等の通信可能な装置であり、出席管理サーバ１５と無線ＬＡＮで接続されている。
【００４２】
各電子棚札１１ａ〜１１ｎは、教室ＲＭ内に配列された複数の机ＤＫａ〜ＤＫｎに１対１で対応付けられて固定されており、図２及び図３に電子棚札１１ａを代表して示すように、二次元バーコードの一種であるＱＲコード（登録商標）ＣＤ１やバーコードＢＤ１を表示したり、出席管理サーバ１５からＥＳＬサーバ１４を介して送信されてくる後述の各種情報に応じた文字や文字列ＣＳ１及び画像等を表示したりする。なお、机ＤＫａ〜ＤＫｎに固定された電子棚札１１ａ〜１１ｎは、キー操作等によって教員等の管理者のみが取り外し可能となるようにしてもよい。
【００４３】
また、各電子棚札１１ａ〜１１ｎに表示されるＱＲコードＣＤ１には、教室内での座標位置である座席位置と、不正防止の乱数と、各電子棚札１１ａ〜１１ｆ固有の電子棚札ＩＤ(Identification)とが記録されている。ＱＲコードＣＤ１は、学生が所持する携帯端末装置２１のＱＲコードリーダで光学的に読み取られる。携帯端末装置２１は、携帯電話機やスマートフォン又はタブレット型端末機等の通信可能な装置である。ＱＲコードＣＤ１が読み取られると、乱数、座席位置及び電子棚札ＩＤと、携帯端末装置２１の固体識別番号とがセットで無線基地局２２へ無線送信され、公衆回線２３を介して出席管理サーバ１５へ送信されるようになっている。
【００４４】
但し、上記の乱数は、ＱＲコードＣＤ１を表示する際に毎回異なる数値となる。この毎回異なる乱数を携帯端末装置２１でのＱＲコードＣＤ１の読み取りの都度、出席管理サーバ１５へ送信して登録するので、次回ＱＲコードＣＤ１を表示した際の乱数は前回と異なったものとなる。従って、今回の乱数の登録後に、前回のＱＲコードＣＤ１を読み取って（又は前回の乱数を用いて）データ送信を行っても、データ更新や登録は行えなくなる。これにより、不正を防止することができるようになっている。
【００４５】
出席管理サーバ１５には、図４に示す出席管理ＤＢ（データベース）４７に、予め、携帯端末装置２１の固体識別番号とその所有者の情報（学生情報）とが１対１に対応付けられており、公衆回線２３から送信されてきた乱数、座席位置及び電子棚札ＩＤ及び固体識別番号を通信部４６で受信した際に、出席管理処理部４１ａがその受信固体識別番号に対応付けられた学生情報と、乱数及び電子棚札ＩＤとを対応付ける。これが学生の出席申請時に行われる。
【００４６】
次に、電子棚札１１ａ〜１１ｎの構成を、図２を参照して説明する。電子棚札１１ａの前面には、ＱＲコードＣＤ１や文字列「出席受付中」ＣＳ１を表示するディスプレイ３１と、通信装置１２ａ〜１２ｍと赤外線による通信を行う通信部３２とが配置されている。
【００４７】
通信部３２は、赤外線信号を出力する発光部３３と、通信装置１２ａ〜１２ｍからの赤外線信号を受信し、それを電気信号に変換して制御部３６に出力する受光部３４とを備える。データの送信部として機能する発光部３３は例えばＬＥＤ（発光ダイオード）で構成されており、データの受信部として機能する受光部３４は、例えばフォトダイオード及びアンプで構成されている。
【００４８】
ディスプレイ３１は、ドットマトリクス方式の不揮発性表示部であって、電子ペーパで構成されている。ディスプレイ３１は、ドットマトリクス方式の表示部であるため、所定の数値のみならず、文字、記号、図形などを表示することができる。また、ディスプレイ３１は電子ペーパにより構成されるため、表示内容の変更（表示更新）にのみ駆動電力を必要とし、表示内容の保持には駆動電力を与える必要がない。
【００４９】
更に、ディスプレイ３１には、図２に示すようなＱＲコードＣＤ１や「出席受付中」の文字列ＣＳ１等の他に、学生情報や、学生へのアンケート、試験問題や結果等を表示することができる。例えば、学生の出席申請後に、図３に示すように、ディスプレイ３１に学生情報である氏名「愛知広大」を表示することにより、電子棚札１１ａと学生とが視覚的に対応付けられる。また、その「愛知広大」の固有コードを数字で表す文字列ＣＳ２と、「愛知広大」を示すバーコードＢＤ１とが、当該バーコードＢＤ１が延びる方向に並列に表示される。この表示レイアウトは任意に変えることができる。
【００５０】
なお、学生の氏名「愛知広大」を表示する際、本例のように第三者に学生を特定されないように学籍番号等の重要な個人情報は表示させないようにする。
【００５１】
電子棚札１１ａの内部には、当該電子棚札１１ａの電源を供給する小型の電池３７と、当該電子棚札１１ａの動作を統括的に制御する制御部３６とが設けられている。制御部３６は、ＣＰＵ(Central Processing Unit)やメモリなどで構成されている。そのメモリには各種のデータ（ディスプレイ３１に表示する画像データ、自装置の装置コード等）が記憶される。また、制御部３６は、ディスプレイ３１の表示を制御する表示制御部として機能する。例えば、制御部３６は、新たな表示データがメモリに格納されると、この格納表示データを読み出して、このデータに対応する内容をディスプレイ３１に表示させる。
【００５２】
次に、ＥＳＬサーバ１４について説明する。ＥＳＬサーバ１４は、ベースステーション１３を介して複数の通信装置１２ａ〜１２ｍと双方向にデータ通信が可能となっている。
【００５３】
ＥＳＬサーバ１４のハードウェア構成は基本的に一般的なコンピュータと同様であり、その構成を図５に示す。ＥＳＬサーバ１４は、各種演算処理を行うＣＰＵ５１と、ブートプログラム等を記憶するＲＯＭ５２と、演算処理の作業領域となるＲＡＭ５３と、プログラムや各種のデータファイルなどを記憶するハードディスク５４と、各種表示を行うディスプレイ５５と、キーボード及びマウスなどで構成される入力部５６と、ＬＡＮ１８を介したデータ通信機能を有するデータ通信部５７と、ＱＲコードＣＤ１や文字列ＣＳ１を電子棚札１１ａ〜１１ｎに表示するためのコード文字データを生成するコード文字生成部５８と、ベースステーション１３と通信するためのインターフェイス５９とを備えて構成されている。
【００５４】
電子棚札１１ａ〜１１ｎに送信すべき各種データは、インターフェイス５９及びベースステーション１３を介して通信装置１２ａ〜１２ｍに伝達される。ハードディスク５４には、動作プログラムが予め記憶されており、この動作プログラムに従ってＣＰＵ５１が演算処理を行うことにより、ＥＳＬサーバ１４としての各種機能が実現される。また、ハードディスク５４には、装置ＩＤファイル５４ａ及びリンクテーブル５４ｂが記憶されている。
【００５５】
装置ＩＤファイル５４ａは、各電子棚札１１ａ〜１１ｎのそれぞれの「装置コード」を格納するファイルである。装置コードとは、電子棚札１１ａ〜１１ｎのそれぞれに登録された固有のハードウェアＩＤである。
【００５６】
リンクテーブル５４ｂは、学生の名前、成績、当該学生所持の携帯端末装置２１の固体識別番号、電子棚札への表示内容、データ送受信用のプロトコルであるＨＴＴＰ(HyperText Transfer Protocol)等の学生情報と、装置ＩＤファイル５４ａに格納された装置コードとを１対１で対応付けるテーブルである。リンクテーブル５４ｂにより、学生情報と電子棚札１１ａ〜１１ｎとが１対１の関係でデータ的に対応づけられる（リンク付けされる）ことになる。
【００５７】
ＥＳＬサーバ１４は、電子棚札１１ａ〜１１ｎに対する学生情報である各種データの送信を行う。このデータ送信を行う場合、ＥＳＬサーバ１４は、リンクテーブル５４ｂを参照して、送信対象となる電子棚札（例えば１１ａ）を特定し、この特定された電子棚札１１ａにデータを送信する。
【００５８】
この際、ＥＳＬサーバ１４からのデータ入力を受けた各通信装置１２ａ〜１２ｍは、入力されたデータを、自装置が通信可能な電子棚札１１ａ〜１１ｎに赤外線信号で出力する。例えば、ＥＳＬサーバ１４から電子棚札１１ａへのデータ入力を受けた通信装置１２ａは、電子棚札１１ａに赤外線信号で入力データを出力する。これによって、電子棚札１１ａで所定のデータが受信され、ディスプレイ３１への表示などが行われる。
【００５９】
次に、図４を参照して出席管理サーバ１５の構成を説明する。出席管理サーバ１５は、ハードウェア構成は基本的に一般的なコンピュータと同様であり、出席管理処理部４１ａ、グルーピング処理部４１ｂ、授業運営処理部４１ｃ及び試験実施処理部４１ｄの処理を含む各種演算処理を行うＣＰＵ４１と、ブートプログラム等を記憶するＲＯＭ４２と、演算処理の作業領域となるＲＡＭ４３と、各種表示を行うディスプレイ４４と、キーボード及びマウスなどで構成される入力部４５と、ＬＡＮ１８を介したデータ通信機能を有する通信部４６と、出席管理ＤＢ４７と、成績管理ＤＢ４８と、試験問題ＤＢ４９とを備えて構成されている。
【００６０】
出席管理処理部４１ａは、授業への出席者と、当該出席者が着座した机（例えばＤＫａ）に固定された電子棚札１１ａとを１対１で対応付ける処理を、出席管理ＤＢ４７の登録情報を用いて行う。
【００６１】
出席管理ＤＢ４７には、各学生が所有する携帯端末装置２１の固体識別番号と、その所有者の学生情報とが１対１に対応付けられて、図６に示す出席管理情報ＡＭ１に登録される。なお、図６に示す出席管理情報ＡＭ１は１人分の学生情報である。更に、電子棚札ＩＤと共に受信された座席位置の情報は、出席管理情報ＡＭ１に、後述するように学生の着座位置として登録されるようになっている。
【００６２】
出席管理情報ＡＭ１は、現在／過去授業データ＝１（１は現在実施の授業、０は過去の授業を示す）、固有ＩＤ＝１２３５９８７６６８２５(上記ＱＲコードＣＤ１から読み取られた乱数であって１２桁からなる重複の無いＩＤ番号)、授業開講年度データ＝２０１１、学期開始時期データ＝４（月）、科目ＩＤ＝ＭＳ１（数学を表す）、授業実施週データ＝２（周目）、授業建物ＩＤ＝ＡＫ１０（授業が行われた建物番号）、講義室番号データ＝ＬＲ５（授業が行われた講義室番号）、座席行番号データ＝Ｍｉ７、座席列番号データ＝Ｍｊ３、学籍ＩＤ＝ＡＩＴ１０００（学籍番号）、姓データ＝愛知、名データ＝広大、姓名データ＝愛知広大、出席申請受付時間データ＝０９：５０、固体識別番号データ＝Ｍｏｂｉｌｅ７８９が登録されて構成される。
【００６３】
但し、出席管理ＤＢ４７への学生の固有情報と、当該学生が所有する携帯端末装置２１の固体識別番号との対応付けによる登録は、学期の初めや、学生が携帯端末装置２１を別の機種に変更した際などに行っておく。
【００６４】
また、電子棚札ＩＤに対応付けられた座席位置には、着座位置としての座席行番号データ＝Ｍｉ７、座席列番号データ＝Ｍｊ３が対応している。更に、座席位置（又は電子棚札ＩＤ）には、授業建物ＩＤ＝ＡＫ１０、講義室番号データ＝ＬＲ５が対応付けられていても良い。また、出席申請受付時間データ＝０９：５０は、携帯端末装置２１での読込時間が、電子棚札ＩＤに対応付けられて送信され、登録されるようになっている。
【００６５】
出席管理処理部４１ａは、電子棚札ＩＤ、読込時間及び固体識別番号のセットを公衆回線２３から受信した際に、出席管理ＤＢ４７にアクセスし、その受信された固体識別番号が対応付けられた学生の出席管理情報ＡＭ１を検索する。この検索された出席管理情報ＡＭ１に、受信した電子棚札ＩＤを対応付け、この電子棚札ＩＤに対応付けられる授業建物ＩＤ＝ＡＫ１０、講義室番号データ＝ＬＲ５、座席行番号データ＝Ｍｉ７、座席列番号データ＝Ｍｊ３を登録すると共に、乱数を固有ＩＤとして登録し、更に、読込時間を出席申請受付時間ＩＤ＝０９：５０として登録する。なお、この他にも必要な学生情報が登録される。
【００６６】
この登録により出席申請が完了する。つまり、学生は、自分が着座する机ＤＫａの電子棚札１１ａに表示されたＱＲコードＣＤ１を、携帯端末装置２１で読み込むだけで出席申請を完了することが可能となっている。
【００６７】
その出席管理ＤＢ４７に登録された出席管理情報ＡＭ１は、教員がマスタ端末装置１７から出席管理サーバ１５にアクセスすることにより取得して表示可能となっている。マスタ端末装置１７には、図７に示すように教室ＲＭに各学生及び空席が座席表６１の形式で表示され、教員が、座席表６１の所望の学生（例えばＳＴ１ａ）をクリックすることで、その学生の出席管理情報ＡＭ１が表示される。従って、教員は、どのような学生が、どの位置の机ＤＫａに着座しているか、或いは空席状況等を容易に把握可能となっている。
【００６８】
次に、グルーピング処理部４１ｂについて説明する。グルーピング処理部４１ｂは、教員が操作するマスタ端末装置１７からグループ分け指示が送信されて来た場合、出席管理ＤＢ４７から各学生の出席管理情報ＡＭ１を読み込み、グループ分け指示に従ってグループ分けを行い、このグループ分けを示すグループ情報を生成する。このグループ情報は、出席管理サーバ１５の通信部４６からＬＡＮ１８を介してＥＳＬサーバ１４へ送信され、更にベースステーション１３を介して通信装置１２ａ〜１２ｍから各電子棚札１１ａ〜１１ｎへ送信される。これにより各電子棚札１１ａ〜１１ｎにグループ番号が表示される。この際同時に、現在着座中の各学生に対して、「あなたは何番のグループのなので、何番の席に座りなさい」等の移動先指示情報を表示する。更に、電子棚札１１ａ〜１１ｎには移動終了通知用のＱＲコードも表示する。
【００６９】
移動先指示情報を確認した学生は、行き先の席に着座し、この際、電子棚札１１ａ〜１１ｎの片隅に表示された移動終了通知用のＱＲコードを携帯端末装置２１で読み取ると、移動終了通知がその移動先の電子棚札ＩＤ、乱数及び座席位置、固体識別番号と共に無線基地局２２及び公衆回線２３を介して出席管理サーバ１５へ送信される。
【００７０】
この送信情報を受信した出席管理サーバ１５のグルーピング処理部４１ｂは、受信した固体識別番号、座席位置、乱数及び電子棚札ＩＤに応じて、出席管理ＤＢ４７における出席管理情報ＡＭ１の着座位置及び乱数による固有ＩＤ、電子棚札ＩＤを変更する。これ以降、グループ変更を行う都度、同様の処理によってグループ分けを実行する。
【００７１】
また、グルーピング処理部４１ｂは、グループ分け処理により新たなグループを形成する都度、そのグループ情報を履歴形式で出席管理ＤＢ４７に記憶する処理を行う。この履歴形式で記憶されたグループ情報は、次にグループ変更を行う際に活用される。例えば、次回のグループ分けで同じ学生が前回と同じグループに所属しないように活用される。
【００７２】
次に、授業運営処理部４１ｃについて説明する。授業運営処理部４１ｃは、成績管理ＤＢ４８に登録された図８に示す成績管理情報ＲＭ１に、テスト結果やレポート等の必要な情報を書き込んだり、読み出したりする処理を行う。本例では成績管理情報ＲＭ１として、愛知広大、名古屋丈、地球博等の各学生の前期テスト（数学）、小テスト（物理）、及びレポート（電気）の提出・未提出等の情報が登録されている様子を表した。但し、レポートの提出の情報には、そのレポートの内容情報もセットで登録されており、提出をクリックすると、レポート内容が表示されるようになっている。
【００７３】
教員が学生の成績を見たい場合、座席表６１の形式で表示されているマスタ端末装置１７において、まず、所定の成績表示操作を行った後、所望の学生をクリックする。このクリック操作命令が出席管理サーバ１５に送信されると、授業運営処理部４１ｃが、成績管理ＤＢ４８から該当学生の成績管理情報ＲＭ１を読み込む。この読み込まれた学生の成績管理情報ＲＭ１が通信部４６を介してマスタ端末装置１７へ送信されて表示される。
【００７４】
次に、試験実施処理部４１ｄについて説明する。試験実施処理部４１ｄは、マスタ端末装置１７における教員の問題の書込／読出命令の操作に応じて、試験問題ＤＢ４９への数学等の問題情報（図示せず）の書き込み、読み出し処理を行う。また、マスタ端末装置１７における問題送信命令に応じて、読み出された問題情報を該当学生の携帯端末装置２１へ送信して表示する処理を行う。
【００７５】
上記のように所望の学生の携帯端末装置２１に問題を表示する場合、まず、教員がマスタ端末装置１７において、その学生の履修情報（例えば数学）を履修登録サーバ１６にアクセスして確認する。但し、履修登録サーバ１６には、予め年度初め等に、各学生の履修情報が登録されている。その確認により数学を履修していることが確認された場合、更にマスタ端末装置１７において、当該学生が電子棚札（例えば１１ａ）と１対１に紐付けされていることを確認する。この確認後に、マスタ端末装置１７において数学問題の取得操作を行うと、この操作命令に応じて、試験実施処理部４１ｄが試験問題ＤＢ４９から該当数学の試験問題を取得してマスタ端末装置１７へ送信し、表示する処理を行う。
【００７６】
ここで表示された問題を教員が確認した後、学生の着座する電子棚札１１ａに問題を表示する操作を行うと、試験実施処理部４１ｄが、その表示のために取得した問題を、ＬＡＮ１８、ＥＳＬサーバ１４、ベースステーション１３及び通信装置１２ａ〜１２ｍを介して各電子棚札へ送信して表示させる処理を行う。なお、この場合、電子棚札１１ａ〜１１ｎは、大型の電子ペーパを有する必要がある。
【００７７】
但し、上記のように一旦教員が問題を確認するステップを省略して、教員がマスタ端末装置１７において所望の学生への数学問題表示の操作を行い、この操作命令に応じて、試験実施処理部４１ｄが試験問題ＤＢ４９から該当数学の試験問題を取得して、ＥＳＬサーバ１４、ベースステーション１３及び通信装置１２ａ〜１２ｍを介して各電子棚札へ送信して表示させるようにしてもよい。
【００７８】
また、学生への試験問題の表示は、電子棚札１１ａに代え、学生の携帯端末装置２１でもよい。この場合、試験問題は、公衆回線２３及び無線基地局２２を介して該当学生の携帯端末装置２１へ送信されて表示される。
【００７９】
また、電子棚札１１ａ〜１１ｎ又は学生の携帯端末装置２１に表示された問題は、テスト時間終了時などの所定時間に自動的に消えるようにしてもよい。これは、電子棚札１１ａ〜１１ｎ又は携帯端末装置２１へ問題を送信する際に、電子棚札１１ａ〜１１ｎ又は携帯端末装置２１が表示を自動消去する時間の命令を同時に送信して行う。
【００８０】
また、電子棚札１１ａ〜１１ｎ又は携帯端末装置２１に問題を表示する場合、試験実施処理部４１ｄは、着座した隣同士の学生で相関関係の無い試験表示の処理を行うようにしてもよい。例えば、隣同士で異なる科目の試験表示を行ったり、隣同士が同試験であれば試験問題の順番を代えて表示したりする処理を行う。更に、試験開始時間を学生毎や科目毎に変える処理を行うようにしてもよい。
【００８１】
次に、このような授業運営管理システムによる授業運営時の処理動作を図９〜図１２を参照して説明する。
【００８２】
まず、図９のステップＳ１において、学生は、学期の初めや、携帯端末装置２１を別の機種に変更した場合に、学内の所定端末装置において、学生の固有ＩＤ（学籍ＩＤも含む）と、当該学生が所有する携帯端末装置２１の固体識別番号とを登録する。この登録により、出席管理サーバ１５の出席管理処理部４１ａにより、当該学生の固有ＩＤと固体識別番号とが１対１で対応付けられる処理が行われて、出席管理ＤＢ４７に例えば図６に示すように該当学生の出席管理情報ＡＭ１として登録される。つまり、固有ＩＤ＝１２３５９８７６６８２５及び学籍ＩＤ＝ＡＩＴ１０００と、固体識別番号データ＝Ｍｏｂｉｌｅ７８９とが登録される。
【００８３】
一方、ステップＳ２において、授業開始に当り、教室ＲＭの各机ＤＫａ〜ＤＫｎには電子棚札１１ａ〜１１ｎが１対１で固定されており、これら電子棚札１１ａ〜１１ｎのディスプレイ３１に、例えば図２に示すＱＲコードＣＤ１及び「出席受付中」の文字列ＣＳ１が表示されている。
【００８４】
ここで、ステップＳ３において、学生が教室ＲＭに入室して出席申請を行うとする。この場合、例えば机ＤＫａに着座した学生は、自分の携帯端末装置２１で電子棚札１１ａのＱＲコードＣＤ１を読み取って出席申請を行う。
【００８５】
その読み取りにより、ステップＳ４において、電子棚札ＩＤ及び乱数と、座席位置及び当該携帯端末装置２１の固体識別番号とがセットで、携帯端末装置２１から無線基地局２２へ無線送信され、公衆回線２３を介して出席管理サーバ１５へ送信される。
【００８６】
この送信情報を出席管理サーバ１５が受信すると、ステップＳ５において、出席管理処理部４１ａにより、その受信した固体識別番号と同じ固体識別番号を、出席管理ＤＢ４７から検索し、この検索された固体識別番号が登録された出席管理情報ＡＭ１の学生の固有ＩＤと、受信した乱数及び電子棚札ＩＤとを相互に対応付ける。
【００８７】
この際、電子棚札ＩＤと共に受信された座席位置の情報が、当該学生の着座位置としての座席行番号データ＝Ｍｉ７、座席列番号データ＝Ｍｊ３として登録される。この際、電子棚札ＩＤに対応付けられた授業建物ＩＤ＝ＡＫ１０、講義室番号データ＝ＬＲ５も登録される。更に、乱数も固有ＩＤとして登録される。
【００８８】
更に、出席管理情報ＡＭ１には、現在／過去授業データ＝１、授業開講年度データ＝２０１１、学期開始時期データ＝４（月）、科目ＩＤ＝ＭＳ１（数学）、授業実施週データ＝２（周目）、当該学生の姓データ＝愛知、名データ＝広大、姓名データ＝愛知広大、学生が携帯端末装置２１でＱＲコードＣＤ１を読み取った時刻である出席申請受付時間データ＝０９：５０も登録される。
【００８９】
この登録後、ステップＳ６において、出席管理処理部４１ａにより、該当学生が着座した電子棚札１１ａに、出席管理サーバ１５からＬＡＮ１８、ＥＳＬサーバ１４、ベースステーション１３及び通信装置１２ａを介して姓名データを含む所定の登録情報が送信されることにより、その電子棚札１１ａに学生の氏名である図３に示す「愛知広大」が表示される。この際、「愛知広大」を示すバーコードＢＤ１などが表示されるようにしても良い。これによって、ステップＳ７において、出席申請が完了する。
【００９０】
この出席申請完了後、ステップＳ８において、教員が学生の出席状況などを確認する場合、マスタ端末装置１７から出席確認操作を行うことにより、例えば図７に示す座席表６１が表示され、出席状況の確認を行うことができる。これは、マスタ端末装置１７から出席管理サーバ１５への出席確認操作でのアクセスにより、出席管理処理部４１ａが出席管理ＤＢ４７から出席管理情報ＡＭ１を取得して、上記の座席表６１を作成してマスタ端末装置１７へ送信することにより行われる。
【００９１】
更に、ステップＳ９において、教員が所望の学生の情報を知りたい場合、座席表６１の該当学生（例えばＳＴ１ａ）をクリックすることで、その学生の出席管理情報ＡＭ１が表示されるので、該当学生の情報を確認することができる。
【００９２】
次に、授業中に学生をグループ分けして授業を行う場合について説明する。図１０のステップＳ１１において、教員がマスタ端末装置１７からグループ分け指示の操作を行うと、この操作命令が出席管理サーバ１５へ送信され、グルーピング処理部４１ｂによりグループ分け処理が行われる。即ち、グルーピング処理部４１ｂにより、出席管理ＤＢ４７から各学生の出席管理情報ＡＭ１が取得され、教員が行ったグループ分け指示に従いグループ分けが行われて、このグループ情報が生成される。
【００９３】
このグループ情報は、ステップＳ１２において、出席管理サーバ１５からＥＳＬサーバ１４、ベースステーション１３を介して通信装置１２ａ〜１２ｍから各電子棚札１１ａ〜１１ｎへ送信される。これにより各電子棚札１１ａ〜１１ｎにグループ番号が表示されると共に、現在着座中の各学生に対して、「あなたは何番のグループのなので、何番の席に座りなさい」等の移動先指示情報が表示される。更に、電子棚札１１ａ〜１１ｎには移動終了通知用のＱＲコードも表示される。
【００９４】
ここで、ステップＳ１３において、移動先指示情報を確認した学生は、行き先の席に着座し、この際、電子棚札１１ａ〜１１ｎに表示された移動終了通知用のＱＲコードを携帯端末装置２１で読み取る。この読み取りにより、移動終了通知がその移動先の電子棚札ＩＤ、乱数及び座席位置、携帯端末装置２１の固体識別番号と共に出席管理サーバ１５へ送信される。
【００９５】
ステップＳ１４において、その送信情報を受信した出席管理サーバ１５のグルーピング処理部４１ｂにより、受信された固体識別番号、座席位置、乱数及び電子棚札ＩＤに応じて、出席管理情報ＡＭ１の着座位置及び電子棚札ＩＤが変更される。この変更時のグループ情報は、履歴形式で出席管理ＤＢ４７に記憶される。
【００９６】
次に、教員が学生の成績などをもとにしながら授業運営を行う場合について図１１を参照して説明する。まず、教員が該当学生の成績を確認する場合、ステップＳ２１において、マスタ端末装置１７に座席表６１を表示し、ステップＳ２２において、成績などの確認のための表示操作を行った後、所望の学生をクリックする。
【００９７】
このクリック操作命令が出席管理サーバ１５に送信されると、ステップＳ２３において、授業運営処理部４１ｃにより、成績管理ＤＢ４８から該当学生の例えば図８に示す成績管理情報ＲＭ１が読み込まれ、この成績管理情報ＲＭ１がマスタ端末装置１７へ送信されて表示される。これによって、ステップＳ２４において、教員が所望の学生の成績を確認することができる。
【００９８】
次に、試験を実施する場合について図１２を参照して説明する。試験の実施前に教員は、ステップＳ３１において、マスタ端末装置１７から該当試験の問題を確認するために所定操作を行う。ステップＳ３２において、そのマスタ端末装置１７からの操作命令に応じた試験実施処理部４１ｄによって、該当試験問題が試験問題ＤＢ４９から読み出され、マスタ端末装置１７に表示される。ステップＳ３３において、その表示問題の確認後、教員は試験対象の学生の履修情報をマスタ端末装置１７から履修登録サーバ１６にアクセスして確認する。
【００９９】
この確認により該当科目の履修済みが確認されると、ステップＳ３４において、更に該当学生の出席申請が完了しているか否かを確認する。これは、当該学生が電子棚札１１ａと１対１に紐付けされているか否かで確認される。
【０１００】
この確認後、ステップＳ３５において、教員がマスタ端末装置１７から該当問題の送信操作を行うと、この操作命令が出席管理サーバ１５に送信され、試験実施処理部４１ｄにより該当問題の送信処理が行われる。
【０１０１】
この際、ステップＳ３６において、試験実施処理部４１ｄでは、着座した隣同士の学生で相関関係の無い試験問題の表示が行われるように処理が実行される。例えば、隣同士で数学と物理等異なる科目の試験表示を行ったり、隣同士が数学の同試験であれば試験問題の順番を代えて表示したりする処理が行われる。この処理後、該当問題がＥＳＬサーバ１４、ベースステーション１３及び通信装置１２ａ〜１２ｍを介して各電子棚札へ送信されて表示される。この表示によって学生が試験を実施することができる。
【０１０２】
また、ステップＳ３７において、学生の電子棚札１１ａ〜１１ｎに表示された試験問題は、テスト終了時間になると自動的に消える。これは、出席管理サーバ１５から電子棚札１１ａ〜１１ｎへ問題が送信される際に、試験実施処理部４１ｄの処置により、電子棚札１１ａ〜１１ｎでの問題表示が所定の時刻で自動消去される命令が、その問題の送信と同時に実行されることにより実施される。
【０１０３】
このような本実施形態の授業運営管理システム１０は、所定エリアとしての教室ＲＭに配置された複数の物体としての机ＤＫａ〜ＤＫｎに、１対１で対応付けられて固定され、所定の情報を表すコードとしてのＱＲコードＣＤ１、文字及び画像を表示すると共に通信機能を有する通信表示デバイスとしての電子棚札１１ａ〜１１ｎと、教室ＲＭ内の電子棚札１１ａ〜１１ｎと双方向に通信を行い情報の送受信を行う通信サーバとを有する。なお、通信サーバは、ＥＳＬサーバ１４、ベースステーション１３及び通信装置１２ａ〜１２ｍで構成される。
【０１０４】
本実施形態の特徴は、電子棚札１１ａ〜１１ｎに表示されたＱＲコードＣＤ１が、通信及び読取機能を有する携帯端末装置２１で読み込まれた際に得られるＱＲコードに表された乱数と、電子棚札ＩＤ及び当該携帯端末装置２１の固体識別番号を受信した場合、この固体識別番号の携帯端末装置２１を所有する学生と、受信された電子棚札ＩＤの電子棚札１１ａとを１対１に対応付ける出席管理サーバ１５を備えて構成されていることにある。
【０１０５】
この構成によれば、学生は、自分が着座する机ＤＫａの電子棚札１１ａに表示されたＱＲコードＣＤ１を、携帯端末装置２１で読み込むだけで、自分と電子棚札ＩＤとを１対１に対応付けることができる。この対応付け情報には、固有の数値である乱数も固有ＩＤとして対応付けられるので、これ以降その乱数以外は拒否対象となるので、不正を防止することも出来る。
【０１０６】
また、通信及び読取機能を有する携帯端末装置２１の固体識別番号と、当該携帯端末装置２１の所有者としての学生の固有情報とが１対１に対応付けられて登録されたデータベースとしての出席管理ＤＢ４７を備える。更に、出席管理サーバ１５が、ＱＲコードＣＤ１読み込み時の電子棚札ＩＤ、乱数及び固体識別番号の受信時に、出席管理ＤＢ４７を参照し、受信された固体識別番号に対応付けられる所有者の固有情報と、受信された電子棚札ＩＤとを１対１に対応付け、これを出席管理情報ＡＭ１として出席管理ＤＢ４７に登録するようにした。
【０１０７】
この構成によれば、学生は、自分が着座する机ＤＫａの電子棚札１１ａに表示されたＱＲコードＣＤ１を、携帯端末装置２１で読み込むだけで、自分と電子棚札ＩＤとを１対１に対応付けてデータベースに登録することができる。
【０１０８】
また、電子棚札１１ａ〜１１ｎに表示されたＱＲコードＣＤ１に、更に、教室ＲＭでの座標位置が表されている場合、当該ＱＲコードＣＤ１の読み取り情報を受信した出席管理サーバ１５は、１対１に対応付けられた学生の固有情報及び電子棚札ＩＤに、更に座標位置を対応付けるようにした。
【０１０９】
これによって、自分と電子棚札ＩＤとの対応付けに、更に電子棚札の座席位置を対応付けてデータベースに登録することができる。つまり、自分の着座位置を対応付けて登録することができる。
【０１１０】
また、電子棚札１１ａ〜１１ｎに表示されたＱＲコードＣＤ１に、更に、出席受付情報が表されている場合、当該ＱＲコードＣＤ１の読み取り情報を受信した出席管理サーバ１５は、当該電子棚札１１ａ〜１１ｎに１対１に対応付けられた学生の出席申請を了承し、当該電子棚札１１ａ〜１１ｎに当該学生の氏名を表示する処理を行うようにした。
【０１１１】
これによって、学生は、自分が着座する机ＤＫａの電子棚札１１ａに表示されたＱＲコードＣＤ１を、携帯端末装置２１で読み込むだけで、出席申請を済ませることができる。出席申請完了時には、自分の着座した机ＤＫａ〜ＤＫｎの電子棚札１１ａ〜１１ｎに自分の氏名が表示されるので、確実に出席申請完了を確認することができる。
【０１１２】
また、出席管理サーバ１５は、各種指示を行うマスタ端末装置１７からの出席確認操作時に、データベースに登録された出席管理情報ＡＭ１をもとに、教室ＲＭ内に複数の机ＤＫａ〜ＤＫｎが配列され、各机ＤＫａ〜ＤＫｎに出席申請済みの学生が表された座席表６１を作成し、この座席表６１の情報をマスタ端末装置１７へ送信する処理を行うようにした。
【０１１３】
これによって、マスタ端末装置１７から出席確認操作を行うことにより、図７に示す座席表６１が表示され、出席状況の確認を容易に行うことができる。
【０１１４】
また、出席管理サーバ１５は、マスタ端末装置１７に座席表６１の情報と共に該当学生の情報を送信し、当該マスタ端末装置１７に表示された座席表６１の学生がクリック（選択）された際に、当該学生の情報が表示されるようにした。
【０１１５】
これによって、例えば教員が所望の学生の情報を知りたい場合、座席表６１の該当学生をクリックすることで、その学生の出席管理情報ＡＭ１が表示されるので、該当学生の情報を容易に確認することができる。
【０１１６】
また、出席管理サーバ１５は、出席管理ＤＢ４７に登録された出席管理情報ＡＭ１をもとに、グループ分け指示に応じたグループ分けを行い、教室ＲＭ内の各電子棚札１１ａ〜１１ｎに、そのグループ分け情報に応じたグループ番号及び移動先指示情報を表示する処理を行うようにした。
【０１１７】
これによって、授業中でもグループ分け指示を行うだけで、グループ分けを容易に行うことができる。
【０１１８】
また、データベースとしての成績管理ＤＢ４８に、学生のテスト結果やレポート提出、未提出及びレポート内容を含む成績管理情報ＲＭ１を登録し、出席管理サーバ１５は、マスタ端末装置１７に座席表６１が表示され、当該マスタ端末装置１７で成績表示操作後に座席表６１の学生がクリックされた際に、データベースから該当の成績管理情報ＲＭ１を取得して表示する処理を行うようにした。
【０１１９】
これにより、教員が学生の成績を見たい場合、座席表６１の形式で表示されているマスタ端末装置１７において、成績表示指示を行った後、所望の学生をクリックすれば、学生の成績管理情報ＲＭ１を簡単に表示することが出来る。
【０１２０】
また、学生の履修状況が登録された履修登録サーバ１６を更に備え、データベースとしての試験問題ＤＢ４９に、学生の各科目の試験問題を登録し、出席管理サーバ１５は、履修登録サーバ１６へのアクセスにより学生が履修及び出席申請を済ませている場合に、試験問題送信指示に応じて該当学生への電子棚札１１ａ〜１１ｎに試験問題を表示する処理を行うようにした。
【０１２１】
これにより、学生に該当の試験問題を容易に送信して表示させることができる。
【０１２２】
また、出席管理サーバ１５は、電子棚札１１ａ〜１１ｎに試験問題を表示する際に、隣同士の学生間で相関関係の無い試験問題の表示を行う処理を実行するようにした。
【０１２３】
これにより、近接した隣同士であっても、問題や出題順が異なるので、不正行為を完全に防止することができる。また、従来のように、不正行為防止のために、隣席を空席にしながら試験を行わなくても良いので、その分、教室に所定の収容人員を収容することができる。これによって、試験時に教室の確保を容易に行うことができる。従って、効率よく試験を実施することができる。
【０１２４】
出席管理サーバ１５は、電子棚札１１ａ〜１１ｎに試験問題を表示した後、所定時間経過後又は所定時刻に表示内容が自動的に消去されるように処理を行うようにした。
【０１２５】
これによって、試験開始時間に問題を表示し、試験終了後に問題を消去することができるので、試験時間を越えて問題が表示されるといった不都合が無くなり、これにより試験を的確に実施することができる。
【０１２６】
また、電子棚札１１ａを机ＤＫａ〜ＤＫｎに代え、可動自在な机や人間等の移動体に固定しても良い。この場合、人員の管理が容易となる。
【符号の説明】
【０１２７】
１０  授業運営管理システム
１１ａ〜１１ｎ  電子棚札
１２ａ〜１２ｍ  通信装置
１３  ベースステーション
１４  ＥＳＬサーバ
１５  出席管理サーバ
１６  履修登録サーバ
１７  マスタ端末装置
４１ａ  出席管理処理部
４１ｂ  グルーピング処理部
４１ｃ  授業運営処理部
４１ｄ  試験実施処理部
４７  出席管理ＤＢ
４８  成績管理ＤＢ
４９  試験問題ＤＢ
【図１】
0005877440.tif 000002
【図２】
0005877440.tif 000003
【図３】
0005877440.tif 000004
【図４】
0005877440.tif 000005
【図５】
0005877440.tif 000006
【図６】
0005877440.tif 000007
【図７】
0005877440.tif 000008
【図８】
0005877440.tif 000009
【図９】
0005877440.tif 000010
【図１０】
0005877440.tif 000011
【図１１】
0005877440.tif 000012
【図１２】
0005877440.tif 000013